(57)【要約】【課題】  複数の監視カメラから入力される映像を、各監視カメラの画像の重要度を自動的に割当てて要望する記録時間に合わせて、適正な圧縮率及びフレームレートで記録する監視用映像記録装置を提供する。【解決手段】監視カメラ毎の重要度を自動で割当てる重要度割当て手段を設け、重要度割当て手段によって割当てられた重要度に応じて、記録設定変換部で算出された監視カメラ毎のデータ量及びフレームレートとなるように映像圧縮手段で圧縮することを特徴とする。【選択図】  図２
2008167101.tif 000002
【特許請求の範囲】
【請求項１】
複数の監視カメラから順次入力される映像信号を前記監視カメラ毎に所定のデータ量及びフレームレートの映像データに圧縮する映像圧縮手段と、前記監視カメラ毎の重要度及び記録媒体の残容量及び記録時間に応じて監視カメラ毎のデータ量及びフレームレートを算出し前記映像圧縮手段での圧縮情報を設定する記録設定変換部と、前記映像圧縮手段からの映像データを記録媒体に記録する記録手段とを備えた監視用映像記録装置において、
前記監視カメラ毎の重要度を自動で割当てる重要度割当て手段を設け、前記重要度割当て手段によって割当てられた重要度に応じて、前記記録設定変換部で算出された監視カメラ毎のデータ量及びフレームレートとなるように前記映像圧縮手段で圧縮ことを特徴とする監視用映像記録装置。
【請求項２】
請求項１記載の監視用映像記録装置において、重要度割当てテーブルを設け、前記重要度割当て手段は、監視カメラ毎に設定される名称と、前記重要度割当てテーブルにある名称に対応した重要度から前記監視カメラ毎の重要度を決定し割当てることを特徴とする監視用映像記録装置。
【請求項３】
請求項１記載の監視用映像記録装置において、前記監視カメラからのアラームを入力するアラーム入力手段と、前記アラーム入力手段からのアラームの回数を監視カメラ毎に積算して記憶するアラーム積算テーブルとを設け、
前記重要度割当て手段は、前記アラーム積算テーブルに記憶されたアラームの回数に応じて、前記監視カメラ毎の重要度を決定し割当てることを特徴とする監視用映像記録装置。
【請求項４】
請求項１乃至３のいずれか記載の監視用映像記録装置において、監視カメラが接続されたことを検出するカメラ接続検知手段を設け、新規に監視カメラが接続された場合には、前記重要度割当て手段によって新たに割当てられた重要度に応じて、前記記録設定変換部で算出された監視カメラ毎のデータ量及びフレームレートとなるように前記映像圧縮手段で圧縮することを特徴とする監視用映像記録装置。
【発明の詳細な説明】
【技術分野】
【０００１】
本発明は、監視用映像記録装置に関する。例えば、複数の監視カメラを接続可能な監視用映像記録装置に係り、特にユーザが要望する記録時間を確保しながら監視カメラ毎の重要度に応じた画質で記録することのできる技術に関する。
【背景技術】
【０００２】
本技術分野の背景技術として、例えば、特開２００２−４４６０９号公報（特許文献１）や特開２００３−１０１９４５号公報（特許文献２）がある。
【０００３】
特開２００２−４４６０９号公報には、「［課題］ディジタルデータ記憶媒体に逐次取り込まれる画像データを所定時間分蓄積する。［解決手段］監視カメラから逐次取り込まれる映像入力（画像データ）をデータ記憶手段１４に蓄積するに際し、フレームレート算出手段２４は、録画時間モードと、データ記憶手段１４の残容量と、アラーム信号の発生の有無と、データ圧縮する画質パラメータの値などから、画像データを蓄積するときのフレームレートを算出し、該フレームレートに該当しない映像信号は間引いてデータ記憶手段１４には蓄積しないようにする。これにより、データ記憶手段１４には、所定時間分の画像データが蓄積される。」と記載されている（要約参照）。
【０００４】
特開２００３−１０１９４５号公報には、「［課題］画像データの圧縮率と単位時間当りの画像枚数の組合せパターンを設定し、これを選択可能に構成して画像データの記録を簡便にできるカメラ監視システム及び記録方法を提供する。［解決手段］記憶媒体の設定された記憶容量の範囲内で、監視カメラによるカメラ映像に基づいて予め圧縮可能な画像データ量を算出し、必要とする記録時間における画像データの圧縮率および単位時間当りの画像枚数の組合せパターンを設定して、これらの組合せパターンを選択可能に構成して画像データの適正な記録を簡便に行うことができる」と記載されている（要約参照）。
【０００５】
【特許文献１】特開２００２−４４６０９号公報
【特許文献２】特開２００３−１０１９４５号公報
【発明の開示】
【発明が解決しようとする課題】
【０００６】
監視用映像記録装置として、複数の監視カメラの入力映像を、ビデオテープ等のアナログ記録媒体に記録するように構成された装置が知られている。しかし近年では、技術の進展と共に、ＨＤＤ（Ｈａｒｄ  Ｄｉｓｋ  Ｄｒｉｖｅ）やＤＶＤ（Ｄｅｇｉｔａｌ  Ｖｅｒｓａｔｉｌｅ  Ｄｉｓｃ）等の大容量記録媒体が安価に普及したことにより、監視用映像記録装置も複数の監視カメラから入力される映像信号をディジタル映像データとして記録媒体へ記録を行う装置が普及している。
【０００７】
監視用映像記録装置には、複数の監視カメラが接続される。前記の通り、記録媒体の容量は年々増加しているが、複数の監視カメラの入力映像全てを、圧縮後のデータ量及びフレームレートを高くして記録すると、必要となる記録媒体の容量は膨大になる。その一方、記録媒体の容量は、年々増加しているとはいえ限界があり、決められた記録媒体の容量で、少しでも高画質かつ長時間の記録を行う必要がある。
【０００８】
前記の課題を解決するための公知例として、特許文献１や特許文献２に記載の技術がある。特許文献１記載の技術では、ディジタルデータ記録媒体に順次取り込まれる画像データを所定時間蓄積するために、監視カメラから順次取り込まれる映像入力（画像データ）をデータ記録手段に蓄積するのに際し、フレームレート算出手段は、記録時間モードと、データ記録手段の残容量と、アラーム信号の発生の有無と、データ圧縮する画質パラメータの値などから、画像データを蓄積するときのフレームレートを算出し、該フレームレートに該当しない映像信号は間引いてデータ記録手段には蓄積しないようにすることで、データ記録手段に、所定時間分の画像データを蓄積するというものである。
【０００９】
特許文献２記載の技術では、画像データの圧縮率とフレームレートの組合せパターンを設定し、これを選択可能に構成して画像データの記録を簡便するカメラ監視システムを提供するために、記録媒体の設定された記録容量の範囲内で、監視カメラによるカメラ映像に基づいて予め圧縮可能な画像データ量を算出し、必要とする記録時間における画像データの圧縮率及びフレームレートの組合せパターンを設定して、これらの組合せパターンを選択可能に構成することにより、画像データの適正な記録を簡便に行えるようにするものである。
【００１０】
監視用映像記録装置では、監視カメラを設置した場所により監視カメラからの入力映像の重要度が異なる。そのため、監視カメラ毎の重要度に応じて画質を監視カメラ毎に変えて長時間記録を可能としている。監視カメラ毎の重要度に応じて監視カメラ毎に画質を変えるために、入力映像の圧縮後のデータ量及びフレームレートの設定を手動で設定している。
【００１１】
ところで、監視用映像記録装置においては、ユーザの要望する記録時間を確保することが重要となっている。ここで、上記のように監視カメラ毎の画質の設定完了後に、記録媒体へ保存可能な記録時間が、ユーザの要望する記録時間に満たない場合は、再度設定を行う必要があり、非常に手間を要することになり、設定操作が煩雑となるという問題があった。
【００１２】
このような問題に対し、特許文献１記載の映像用記録装置及び監視装置では、記録媒体の残容量と記録時間と予め設定した監視カメラ毎の重要度に応じて、監視カメラ毎の圧縮後のデータ量及びフレームレートを自動で算出、設定可能とすることにより、設定操作が煩雑となる問題を解決した。このため、ユーザの要望する記録時間を確保しながら監視カメラ毎の重要度に応じた良好な画質の映像を記録することが可能である。しかしながら、監視カメラ毎の重要度の設定は手動で行う必要があり、使い勝手が悪いという問題があった。
【００１３】
また、特許文献２記載のカメラ監視システムは、まずユーザが要望する記録時間を入力し、その記録時間に基づいて、単位時間当りの記録媒体の使用量を算出する。そして、単位時間当りの記録媒体の使用量となるような圧縮後のデータ量及びフレームレートの組合せパターンを生成し、この組合せパターンから、ユーザが手動で圧縮後のデータ量及びフレームレートを選択するというものである。そのため、監視カメラ毎に圧縮後のデータ量及びフレームレートを組合せパターンからユーザが手動で選択する必要があるため、操作が煩雑になり、使い勝手が悪いという問題があった。
【００１４】
そこで、例えば、ユーザが要望する記録時間と監視カメラ毎の重要度に応じて、圧縮後のデータ量及びフレームレートを算出する機能を持った監視用記録装置において、監視カメラ毎の重要度を自動で割当てることで使い勝手を向上することのできる監視用映像記録装置が望まれている。
【００１５】
本発明の目的は、監視用映像記録装置の使い勝手向上である。
【課題を解決するための手段】
【００１６】
前記目的を達成するために、本発明は、特許請求の範囲に記載のとおりの構成を採用する。一例として、複数の監視カメラから順次入力される映像信号を前記監視カメラ毎に所定のデータ量及びフレームレートの映像データに圧縮する映像圧縮手段と、前記監視カメラ毎の重要度及び記録媒体の残容量及び記録時間に応じて監視カメラ毎のデータ量及び単位時間当りの記録枚数を算出し前記映像圧縮手段での圧縮情報を設定する記録設定変換部と、前記映像圧縮手段からの映像データを記録媒体に記録する記録手段とを備えた監視用映像記録装置において、前記監視カメラ毎の重要度を自動で割当てる重要度割当て手段を設け、前記重要度割当て手段によって割当てられた重要度に応じて、前記記録設定変換部で算出された監視カメラ毎のデータ量及びフレームレートとなるように前記映像圧縮手段で圧縮することを特徴とする。これにより、監視カメラ毎の重要度を自動で割当てることができ使い勝手が向上する。
【発明の効果】
【００１７】
本発明によれば、監視用映像記録装置の使い勝手が向上する。一例として、ユーザが要望する記録時間と監視カメラ毎の重要度に応じて、圧縮後のデータ量及びフレームレートを算出する機能を持った監視用記録装置において、監視カメラ毎の重要度を自動で割当てることで使い勝手を向上することができる。
【発明を実施するための最良の形態】
【００１８】
まず、本発明の実施形態の概要を説明する。
【００１９】
前記目的を達成するために、本実施形態は、複数の監視カメラから順次入力される映像信号を前記監視カメラ毎に所定のデータ量及びフレームレートの映像データに圧縮する映像圧縮手段と、前記監視カメラ毎の重要度及び記録媒体の残容量及び記録時間に応じて監視カメラ毎のデータ量及び単位時間当りの記録枚数を算出し前記映像圧縮手段での圧縮情報を設定する記録設定変換部と、前記映像圧縮手段からの映像データを記録媒体に記録する記録手段とを備えた監視用映像記録装置において、前記監視カメラ毎の重要度を自動で割当てる重要度割当て手段を設け、前記重要度割当て手段によって割当てられた重要度に応じて、前記記録設定変換部で算出された監視カメラ毎のデータ量及びフレームレートとなるように前記映像圧縮手段で圧縮することを特徴とする。これにより、監視カメラ毎の重要度を自動で割当てることができ使い勝手が向上する。
【００２０】
さらに、重要度割当てテーブルを設け、前記重要度割当て手段は、監視カメラ毎に設定される名称と、前記重要度割当てテーブルにある名称に対応した重要度から前記監視カメラ毎の重要度を決定し割当てることを特徴とする。通常、監視用記録装置では監視カメラの設置場所の名称を入力しており、その名称を元に自動的に重要度を決定するようにしたので、使い勝手が向上する。
【００２１】
さらに、前記監視カメラからのアラームを入力するアラーム入力手段と、前記アラーム入力手段からのアラームの回数を監視カメラ毎に積算して記憶するアラーム積算テーブルとを設け、前記重要度割当て手段は、前記アラーム積算テーブルに記憶されたアラームの回数に応じて、前記監視カメラ毎の重要度を決定し割当てることを特徴とする。監視用記録装置では、異常を検知した時に監視カメラからの映像を記録するために、アラーム入力手段を設けており、アラームの回数が多い監視カメラの重要度を高くというように、アラームの回数を元に自動的に重要度を決定するようにしたので、使い勝手が向上する。
【００２２】
さらに、監視カメラが接続されたことを検出するカメラ接続検知手段を設け、新規に監視カメラが接続された場合には、前記重要度割当て手段によって新たに割当てられた重要度に応じて、前記記録設定変換部で算出された監視カメラ毎のデータ量及びフレームレートとなるように前記映像圧縮手段で圧縮することを特徴とする。これにより、監視カメラを追加したときにも、自動的に重要度を新たに割当てて、監視カメラ毎の圧縮後のデータ量及びフレームレートを再計算して記録するので、カメラを追加した時にも必要な記録時間を確保することができる。
【００２３】
本実施形態によれば、ユーザが要望する記録時間と監視カメラ毎の重要度に応じて、圧縮後のデータ量及びフレームレートを算出する機能を持った監視用記録装置において、監視カメラ毎の重要度を自動で割当てることで使い勝手を向上することができる。
【実施例１】
【００２４】
以下、本発明に係る監視用映像記録装置の実施例について、図面を参照して説明する。尚、本実施例では接続する監視カメラが４台の場合で説明する。
【００２５】
本発明における監視システムの一実施例を図１を用いて説明する。図１は、本発明における監視用映像記録装置を用いた監視システムの一実施例を示すものである。
【００２６】
この監視システムは、「出入り口」や「通路１」、「通路２」、「レジ」等、様々な名称の監視場所を撮影するために設置された複数の監視カメラ１（１ａ）（出入り口）、監視カメラ２（１ｂ）（通路１）、監視カメラ３（１ｃ）（通路２）、監視カメラ４（１ｄ）（レジ）と、各監視カメラ１ａ、１ｂ、１ｃ、１ｄから入力される映像信号を受信し、映像データとして記録媒体へ保存する監視用映像記録装置２と、監視用映像記録装置２の記録媒体へ保存された映像データの再生画像等を表示するための映像表示装置３を備える。
【００２７】
本監視システムの設置時には、まず監視カメラ毎に監視場所を撮影するために設置された場所（設置場所）の名称を入力設定している。その後本監視システムは監視状態となり、監視用映像記録装置２は、各監視カメラ１ａ、１ｂ、１ｃ、１ｄからの映像信号を受信し、映像信号をディジタルの映像データに変換し、記録媒体へ保存する。この際に、本発明に係る監視用映像記録装置２は、各監視カメラの設置場所名称やアラームの入力回数に応じて、監視カメラ毎の重要度を自動的に割当てるようになっている。この割当てられた重要度に応じて、記録媒体の残容量でユーザが必要とする記録時間を確保できる範囲で、重要度が高い監視カメラの映像信号は、圧縮後のデータ量及びフレームレートを高く設定し、重要度に応じた鮮明な映像として記録を行い、重要度が低い監視カメラの映像信号は、圧縮後のデータ量及びフレームレートを低く設定し記録するような構成としている。
【００２８】
例えば図１の場合、各監視カメラの設置場所名称を見ると、監視カメラ１（１ａ）の 「出入り口」や監視カメラ４（１ｄ）の「レジ」は重要であると考えられるため、重要度を高く設定するが、監視カメラ２（１ｂ）の「通路１」や監視カメラ３（１ｃ）の「通路２」はあまり重要ではないと考えられるため、重要度を低く設定する。
【００２９】
次に、本発明における監視用映像記録装置の構成及び動作について図２を用いて説明する。図２は、本発明における監視用映像記録装置のブロック構成図である。
【００３０】
１ａ、１ｂ、１ｃ、１ｄは本監視用映像記録装置に接続される監視カメラ１〜４、１０は映像信号入力部、１１はＡ／Ｄ変換部、１２は映像圧縮部、１３は映像再生部、１４はアラーム入力部、１５は記録設定変換部、１６は残容量検出部、１７は記録時間算出部、１８は重要度割当て部、１９は記録媒体を備えた記録部、２０は新規接続カメラ、２１はカメラ検出部、２２はユーザ入力、２３は記録時間設定部、２４はアラーム積算テーブル、２５はカメラ名称テーブル、２６は重要度割当てテーブル、２７はカメラ名称設定部を示している。
【００３１】
本発明における監視用映像記録装置２は、記録時、複数の監視カメラ１〜４（１ａ〜１ｄ）から入力された映像信号を、映像信号入力部１０により順次受信し、受信した映像信号をＡ／Ｄ変換部１１によりディジタルの映像データに変換し、記録設定変換部１５から与えられる監視カメラ毎の圧縮後のデータ量及びフレームレートの情報を元に映像圧縮部１２で映像データの圧縮を行い、ハードディスク等の記録媒体で構成される記録部１９に圧縮された映像データを記録する。
【００３２】
再生時、映像再生部１３では、記録部１９の記録媒体から圧縮された映像データを取り込み、取り込んだ圧縮された映像データを伸張し、映像表示装置３へ映像信号を出力し画像を表示する。
【００３３】
ここで、本発明に係る監視カメラ毎の重要度の自動割当て時の動作について説明する。本実施例では監視カメラ毎の重要度の割当ての方法として、監視カメラ毎の設置場所名称またはアラームの入力回数を用いており、ユーザがメニューから選択できるようになっている。
【００３４】
まず、監視カメラ毎の設置場所名称を用いた場合について説明する。監視システムに使用される監視用映像記録装置２では、通常監視カメラの設置場所名称は、入力設定される。例えば、カメラ名称設定部２７により監視カメラ毎の設置場所名称の入力設定が行われ、カメラ名称テーブル２５として、監視用映像記録装置２の内部のメモリで保持する。尚、カメラ名称テーブル２５は、監視カメラ毎の名称をテーブル形式で保持している。
【００３５】
ここで、監視カメラ毎の重要度を割当てるには、内部のメモリに保持されているカメラ名称テーブル２５及び重要度割当てテーブル２６を用いる。「金庫」や「レジ」といった名称は、重要であると考えられるため、重要度割当てテーブル２６では、このような名称に高い重要度を割当てている。逆に「通路」や「会議室」といった名称は、比較的重要ではないと考えられるため、低い重要度を割当てている。重要度割当て部１８は、カメラ名称設定部２７から入力されてカメラ名称テーブル２５に保持された監視カメラ毎の設置場所名称を、重要度割当てテーブル２６の名称と比較し、その名称に対応した重要度を重要度割当てテーブル２６から読み取り、監視カメラ毎の重要度を割当てている。
【００３６】
ユーザが要望する記録時間の設定には、記録時間設定部２３及び記録時間算出部１７を用いる。記録時間算出部１７では、記録時間設定部２３より入力設定されたユーザの要望する記録時間に対して、記録部１９の記録媒体に既に記録されている時間から、残り何時間記録すれば良いかを算出する。
【００３７】
記録設定変換部１５では、重要度割当て部１８の監視カメラ毎の重要度と記録時間算出部１７の残り記録時間と残容量検出部１６の記録部１９の記録媒体の残容量とから、監視カメラ毎の圧縮後のデータ量及びフレームレートを算出している。記録設定変換部１５ではまず、重要度割当て部１８の監視カメラ毎の重要度と記録時間算出部１７の残り記録時間から、監視カメラ毎の記録部１９の記録媒体の割当量さらに単位時間当りの記録部１９の記録媒体の使用量を算出する。次に、監視カメラ毎の重要度に応じて圧縮後のデータ量を決定する。ここで、圧縮後のデータ量は、予め監視カメラ毎の重要度と圧縮後のデータ量を対応付けたテーブルを保持しており、そのテーブルを元に圧縮後のデータ量を決定する。そして、上記監視カメラ毎の圧縮後のデータ量と監視カメラ毎の単位時間当りの記録部１９の記録媒体の使用量から、監視カメラ毎のフレームレートを算出し、監視カメラ毎の圧縮後のデータ量とフレームレートの記録条件を設定する。算出された監視カメラ毎の圧縮後のデータ量及びフレームレートの情報を映像圧縮部１２に送り、映像圧縮部１２で監視カメラ毎の映像データを圧縮後のデータ量及びフレームレートに圧縮して記録部１９に記録する。
【００３８】
尚、圧縮後のデータ量については、監視カメラの重要度毎に圧縮後のデータ量をユーザに設定させても良い。さらに圧縮後のデータ量は、記録部１９の記録媒体の容量に応じて変化させても良い。例えば、記録媒体の容量が大きい監視用記録装置を使用している場合には、記録媒体の容量に比例して圧縮後のデータ量も多くする。逆に記録媒体の容量が小さい監視用記録装置を使用している場合は、圧縮後のデータ量も少なくする。
【００３９】
このように、通常監視用記録装置では設定している監視カメラの設置場所の名称を元に自動的に重要度を決定するようにしたので、使い勝手が向上する。
【００４０】
また、残容量検出部１６では、記録部１９の記録媒体の残容量を定期的に確認しており、記録部１９の記録媒体の残容量が所定の閾値以下となった場合には、記録時間算出部１７により残り記録時間を算出し、記録設定変換部１５により各監視カメラの圧縮後のデータ量及びフレームレートを修正するようにしている。監視用映像記録装置２において、アラーム入力部１４にアラームが入力された場合は、圧縮後のデータ量及びフレームレートを高くして鮮明な映像として記録するようになっている。圧縮後のデータ量及びフレームレートを高くして記録を行うと、必要となる記録部１９の記録媒体に記録されるデータ量が増加するため、ユーザが要望する記録時間よりも短い時間しか記録することはできないことになるので、定期的に記録部１９の記録媒体の残容量を確認し、圧縮後のデータ量及びフレームレートを補正することにより、ユーザが要望する記録時間を確保することが可能である。
【００４１】
カメラ検出部２１では、定期的に監視カメラの接続を確認し、新規接続カメラ２０の接続を検出した場合、重要度割当て部１８はカメラ名称設定部２７から入力設定されカメラ名称テーブル２５に保持された新規接続カメラ２０の設置場所名称を重要度割当てテーブル２５と比較して重要度を読み取り新規接続カメラ２０の重要度を割当てる。そして、記録時間算出部１７により残りの記録時間を算出し、記録設定変換部１５で従来から接続されていた監視カメラ１〜４（１ａ〜１ｄ）と新規接続カメラ２０の監視カメラ毎の重要度と記録時間算出部１７の残り記録時間と残容量検出部１６の記録部１９の残容量とから圧縮後のデータ量及びフレームレートを再計算し、映像圧縮部１２で再計算された監視カメラ毎の映像データを圧縮後のデータ量及びフレームレートに圧縮して記録部１９に記録する。
【００４２】
次に、監視カメラ毎の重要度の自動割当ての方法としてアラーム回数を用いた場合について説明する。ここでは、重要度割当て時の動作を中心に説明する。
【００４３】
アラームはアラーム入力部１４に入力され、監視カメラ毎に積算されてアラーム積算テーブル２４で保持する。ここでは予めアラームの入力回数と重要度を設定した重要度割当てテーブル２６とアラーム積算テーブル２４を用いてアラーム回数に応じて監視カメラ毎の重要度を割当てるようにしている。重要度割当て部１８は、アラーム積算テーブル２４に保持された監視カメラ毎のアラームの入力回数と、重要度割当てテーブル２６のアラームの入力回数と比較し、そのアラームの入力回数に対応した重要度を重要度割当てテーブル２６から読み取り、監視カメラ毎の重要度を割当てている。記録設定変換部１５では、重要度割当て部１８の監視カメラ毎の重要度と記録時間算出部１７の残り記録時間と残容量検出部１６の記録部１９記録媒体の残容量とから、監視カメラ毎の圧縮後のデータ量及びフレームレートを算出する。算出された監視カメラ毎の圧縮後のデータ量及びフレームレートの情報を映像圧縮部１２に送り、映像圧縮部１２で監視カメラ毎の映像データを圧縮後のデータ量及びフレームレートに圧縮して記録部１９に記録する。
【００４４】
このように、アラーム回数を元に自動的に重要度を決定するようにしたので、使い勝手が向上する。
【００４５】
尚、アラームの入力回数と重要度の割当ての関係は、監視カメラ毎のアラームの入力回数の相対的な値を用いても良い。例えば、アラームの入力回数が他の監視カメラと比較して多い監視カメラは重要度が高いと考えられるため、高い重要度を割当てる。逆に、アラームの入力回数が他の監視カメラと比較して少ない監視カメラは入力映像の重要度が低いと考えられるため、低い重要度を割当てるようにしてもよい。
【００４６】
本発明における監視用映像記録装置の監視カメラの設置場所名称の設定時の処理の流れを図３を用いて説明する。図３は、本発明における監視用映像記録装置の監視カメラの設置場所名称の設定時のフローチャートである。
【００４７】
監視カメラの設置場所名称を入力設定するには、まず、ステップＳ１０１で監視用映像記録装置２のメニュー釦（図示せず）を押すと、ステップ１０２でメニュー画面を起動し映像表示装置３にメニュー画面を表示する。次に、ステップＳ１０３でメニュー画面の中から、カメラ設置場所名称設定画面を選択すると、ステップＳ１０４でカメラ設置場所名称設定画面を表示する。そして、ステップＳ１０５で実際に監視カメラが設置されている場所の名称を入力する。ここで、名称の入力には、予め定型文を保持しておき、その定型文の中から選択することでカメラ設置場所名称を入力する。これを接続されている監視カメラ１〜４（１ａ〜１ｄ）毎に入力し、全部の監視カメラの設置場所名称設定が完了した後、ステップＳ１０６で再度メニュー釦を押すと、ステップＳ１０７でカメラ設置場所名称設定が完了する。
【００４８】
尚、名称の入力は、監視用映像記録装置２に取付けられているジョグダイヤルによる五十音の選択による入力する形式でも良いし、監視カメラ毎の設置場所名称が記載されたファイルを、外部メモリから読込んでも良い。
【００４９】
本発明における監視用映像記録装置のカメラ設置場所名称設定画面の例を図４を用いて説明する。図４は、本発明における監視用映像記録装置のカメラ設置場所名称設定画面の構成例である。
【００５０】
ユーザがメニュー釦を押すと、メニュー画面２００が表示され、このメニュー画面で「２．カメラ設置場所名称設定」を選択すると、カメラ設置場所名称設定画面２０２が表示される。ユーザはこのカメラ設置場所名称設定画面２０２を見ながら監視用映像記録装置２のカーソル釦等（図示せず）を使用してカメラ１の名称欄２０１ａを選択した後、定型文入力釦２０３を選択実行すると定型文選択画面２０４が表示され、ユーザはこの表示されている定型文から監視カメラの設置されている場所の名称と合うものを選択することによりカメラ１の名称を入力設定することができる。ここでは、カメラ１は、出入り口を撮影するように設置されているので定型文選択画面２０４の「出入り口」を選択する。同様にカメラ２の名称欄２０１ｂは「通路１」を、カメラ３の名称欄２０１ｃは「通路２」を、カメラ４の名称欄２０１ｄは「レジ」を選択し名称を入力設定する。
【００５１】
本発明における監視用映像記録装置の重要度割当てテーブル２６について図５を用いて説明する。図５は、本発明における監視用映像記録装置の重要度割当てテーブルの一例である。
【００５２】
図５に示すように、最も重要であると考えられる監視場所を撮影するために設置した監視カメラの設置場所の名称が「金庫」や「レジ」の場合はこの名称の監視カメラからの入力映像の重要度が最も高く重要度を５とし、「ＡＴＭ」や「窓口」の重要度５より低い場所は重要度を４とし、以下重要度３は「玄関」「倉庫」「出入り口」、重要度２は「待合室」「駐車場」「通路１」、重要度１は「会議室」「通路２」としている。
【００５３】
ここで、この重要度割当てテーブルの名称は、図４の定型文選択画面２０４にある名称と合わせて予め登録用意されているが、重要度割当てテーブルに登録されていない名称を登録したい場合には、ユーザに手動で名称の新規設定と同時に重要度も設定してもらうようにしても良い。ここで追加された名称は、図４の定型文選択画面２０４に追加表示されると共に、重要度割当てテーブルにも追加される。
【００５４】
また、この重要度割当てテーブルは、銀行やコンビニ等では設置場所名称が異なるため、テーブルのサイズを小さくする目的で監視対象となる場所毎に特有のテーブルを外部メモリから読込んでも良い。外部メモリから読込むことにより、必要のないテーブルを保持しなくてもよいため、メモリの節約になる。さらに、予め設置場所名称毎に設定してある重要度をユーザに変更させるようにしても良い。
【００５５】
本発明における監視用映像記録装置の自動で割当てた重要度を元に監視カメラ毎の映像データを記録する場合の処理の流れを説明する。図６は、本発明における監視用映像記録装置の自動で割当てた重要度を元に監視カメラ毎の映像データを記録する場合のフローチャートである。
【００５６】
記録を開始するには、まずステップＳ３０１で監視用映像記録装置２にあるメニュー釦（図示せず）を押すと、ステップＳ３０２でメニュー画面を起動し映像表示装置３にメニュー画面を表示する。次に、ステップＳ３０３でメニュー画面の中から、自動記録設定画面を選択すると、ステップＳ３０４で記録時間設定画面を表示する。ステップＳ３０５の記録時間設定処理でユーザが記録時間設定画面に表示されている記録時間から要望する記録時間の設定を行い記録時間を決定すると、ステップＳ３０６で重要度決定方法選択画面を表示する。ステップＳ３０７の重要度選択処理で監視カメラの設置場所名称により重要度を決定するか、監視カメラ毎のアラームの入力回数により重要度を決定するのかを選択し決定処理をすると、ステップＳ３０８以降の重要度割当て処理を経て記録開始処理に進む。ステップＳ３０８の重要度割当て処理では、ステップＳ３０７で選択された方法に応じて、重要度の割当てを行う。カメラ設置場所名称が選択された場合には、カメラ名称設定部２７から入力されてカメラ名称テーブル２５に保持された監視カメラ毎の設置場所名称を、重要度割当てテーブル２６の名称と比較し、その名称に対応した重要度を重要度割当てテーブル２６から読み取り、監視カメラ毎の重要度を割当てる。また、アラーム回数が選択された場合には、アラーム積算テーブル２４に保持された監視カメラ毎のアラームの入力回数と、重要度割当てテーブル２６のアラームの入力回数と比較し、そのアラームの入力回数に対応した重要度を重要度割当てテーブル２６から読み取り、監視カメラ毎の重要度を割当てる。
【００５７】
ステップＳ３０９で接続されている全ての監視カメラの重要度が決定したか確認し、全ての監視カメラの重要度が決定した場合はステップＳ３１０へ進む。ステップＳ３１０の単位時間当りの記録媒体使用量算出処理では、まず記録時間設定部２３より入力設定されたユーザの要望する記録時間に対して記録部１９の記録媒体に既に記録されている時間から残り何時間記録すれば良いかを算出し、次に監視カメラ毎の重要度と残り記録時間から、監視カメラ毎の記録部１９の記録媒体の割当量、さらに単位時間当りの記録部１９の記録媒体の使用量を算出する。ステップＳ３１１の記録設定変換処理では、まず、監視カメラ毎の重要度に応じて圧縮後のデータ量を決定し、次に監視カメラ毎の圧縮後のデータ量と監視カメラ毎の単位時間当りの記録部１９の記録媒体の使用量から監視カメラ毎のフレームレートを算出し、監視カメラ毎の圧縮後のデータ量とフレームレートの記録条件を設定する。ステップＳ３１２で接続されている全ての監視カメラに対し、圧縮後のデータ量とフレームレートの記録条件が決定されたかを確認し、全ての監視カメラの決定がされている場合は、ステップＳ３１３で映像圧縮部１２により監視カメラ毎の映像データを算出設定された圧縮後のデータ量及びフレームレートに合わせて圧縮して記録部１９への記録を開始する。上記の処理により、重要な監視カメラの映像を可能な限り鮮明に記録しつつ、必要な時間分の記録を確保することが可能となる。
【００５８】
本発明における監視用映像記録装置の自動で割当てた重要度を元に監視カメラ毎の圧縮後のデータ量とフレームレートを算出する方法の一例を説明する。図７は、本発明における監視用映像記録装置の自動で割当てた重要度と記録部１９の記録媒体の残容量及び記録時間から、監視カメラ毎の圧縮後のデータ量とフレームレートを算出した場合の例である。
【００５９】
図７の例では、監視カメラ１の設置場所名称は「出入り口」のため図５の重要度割当てテーブルより重要度は「３」となり、同様に監視カメラ２は「通路１」のため重要度は「２」、監視カメラ３は「通路２」のため重要度は「１」、監視カメラ４は「レジ」のため重要度は「５」となっている。また、記録部１９の記録媒体の割当量は、監視カメラ毎の重要度に応じて次式１）で算出する。
【００６０】
カメラｎの記録媒体の割当量（％）＝（カメラｎの重要度）２
／（（カメラ１の重要度）２＋・・・＋（カメラｎの重要度）２）・・・式１）
式１）より、監視カメラ１には「２３．１％」、監視カメラ２には「１０．２％」、監視カメラ３には「２．６％」、監視カメラ４には「６４．１％」が割当てられる。
【００６１】
さらに、記録媒体の残容量と残り記録時間を元に単位時間当りの記録部１９の記録媒体の使用量を算出する。単位時間当り（１秒）の記録媒体使用量は、次式２）で算出する。
【００６２】
カメラｎの記録媒体使用量（ｋＢｙｔｅ／秒）＝
記録媒体の残容量（ｋＢｙｔｅ）×カメラｎの記録媒体の割当量（％）
／ 残り記録時間（秒）                              ・・・式２）
記録媒体の残容量が１００，０００，０００ｋＢｙｔｅ、残り記録時間が１週間の場合、式２）より監視カメラ１の単位時間当りの記録媒体使用量は、「３８．２ｋＢｙｔｅ／秒」となる。同様に監視カメラ２は「１６．９Ｂｙｔｅ／秒」、監視カメラ３は「４．２Ｂｙｔｅ／秒」、監視カメラ４は「１０６Ｂｙｔｅ／秒」となる。
【００６３】
監視カメラ毎の圧縮後のデータ量は、予め保持している監視カメラ毎の重要度と圧縮後のデータ量を対応付けたテーブルから決定され、監視カメラ１は「１５ｋＢｙｔｅ／秒」、監視カメラ２は「１０ｋＢｙｔｅ／秒」、監視カメラ３は「５ｋＢｙｔｅ／秒」、監視カメラ４は「２５ｋＢｙｔｅ／秒」となる。
【００６４】
監視カメラ毎のフレームレートは、上記で算出した単位時間当りの記録媒体使用量と圧縮後のデータ量から算出する。本実施例の場合は、
監視カメラ１  ３８．２／１５＝２．５フレーム／秒
監視カメラ２  １６．９／１０＝１．７フレーム／秒
監視カメラ３  ４．２／５    ＝０．９フレーム／秒
監視カメラ４  １０６／２５  ＝４．２フレーム／秒
となる。
【００６５】
このように、「レジ」を撮視するための重要度の高い監視カメラ４には、圧縮後のデータ量２５ｋＢｙｔｅ／秒、フレームレート４．２フレーム／秒が割当てられ、「通路２」のように重要度の低いカメラ３には圧縮後のデータ量４．２ｋＢｙｔｅ／秒、フレームレート０．９フレーム／秒が割当てられる。そのため、要望する記録時間を確保しながら、自動的に重要な「レジ」の映像を鮮明で単位時間当たりの記録枚数も多く記録できるので、使い勝手がよい。
【００６６】
尚、本実施例では圧縮後のデータ量を図７に示すように予め保持しているテーブルから決定し、その後フレームレートを求めるようにしているが、フレームレートを予め保持しているテーブルから決定しその後圧縮後のデータ量を求めるようにしても良い。
【００６７】
ここで、重要度の決定に、各監視カメラが設置されている場所の設置場所名称ではなく、監視カメラ毎に入力されたアラームの回数を使用した場合のアラーム回数の積算の流れを図８を用いて説明する。図８は、本発明における監視用映像記録装置のアラーム積算処理を説明するためのフローチャートを示す。
【００６８】
まず、ステップＳ４０１でアラームが入力されると、ステップＳ４０２のアラーム積算処理で監視カメラ毎にアラームが入力された回数を積算する。次にステップＳ４０３のアラーム積算テーブル設定処理で、アラーム積算テーブル２４として保持する。ここで、アラームの入力回数を用いて、監視カメラ毎の重要度を決定するには、アラームの入力回数が多い監視カメラの重要度は高く設定し、アラームの入力回数が少ない監視カメラの重要度は低く設定する。
【００６９】
また、監視用映像記録装置２では、アラームが発生した場合の映像は鮮明に記録するために、圧縮率を低く圧縮後のデータ量を多くして、フレームレートを高くして記録するようになっている。そのため、アラームが多発した場合、自動的に算出した通常の記録時よりも記録部１９の記録媒体の容量を多く使用することになり、ユーザが要望した必要な時間、記録することが難しくなる。そこで本実施例では、残容量検出部１５により、定期的に記録部１９の記録媒体の残容量を確認し、残容量が所定の閾値以下となった場合には、圧縮後のデータ量及びフレームレートの再計算を行い、必要な記録時間の確保が可能な構成となっている。このときの処理の流れを図９を用いて説明する。図９は、本発明における監視用映像記録装置の記録媒体の残容量検出による再計算処理のフローチャートである。
【００７０】
監視用映像記録装置２では、記録中にステップＳ５０１の残容量検出タイマにより、定期的に以下の処理が開始され、ステップＳ５０２の残容量検出処理に進む。ステップＳ５０２の残容量検出処理では、記録部１９の記録媒体の残容量を残容量検出部１６により確認し、ステップＳ５０３で残容量が所定の閾値以上ある場合には本処理を終了し記録を再開（継続）する。ステップＳ５０３で残容量が所定の閾値以下の場合には、次のステップＳ５０４の処理へ進む。ステップＳ５０４の記録時間算出処理では、ユーザが要望する記録時間を達成するために必要な残り記録時間を算出する。ステップＳ５０５の単位時間当たりの記録媒体使用量算出処理では、監視カメラ毎の記録部１９の記録媒体の割当量、さらに単位時間当りの記録部１９の記録媒体の使用量を算出する。ステップＳ５０６の記録設定変換処理では、まず、監視カメラ毎の重要度に応じて圧縮後のデータ量を決定し、次に監視カメラ毎の圧縮後のデータ量と監視カメラ毎の単位時間当りの記録部１９の記録媒体の使用量から、監視カメラ毎のフレームレートを算出し、監視カメラ毎の圧縮後のデータ量とフレームレートの記録条件の設定を修正する。ステップＳ５０７で接続されている全ての監視カメラに対し、圧縮後のデータ量とフレームレートの記録条件の設定の修正が終了したかを確認し、終了した場合には、ステップＳ５０８で映像圧縮部１２により監視カメラ毎の映像データを再計算されて設定された圧縮後のデータ量及びフレームレートに変えて圧縮して記録部１９への記録を再開する。
【００７１】
尚、記録媒体の残容量の閾値は、アラームが入らなかったと想定した場合の記録媒体の使用容量に基づいて求める。例えば、記録媒体の容量が１０００ｋＢｙｔｅで、圧縮後のデータ量１０ｋＢｙｔｅ、フレームレート１フレーム／秒で記録する場合、アラームが入力されなければ１００秒間の記録が可能となる。記録開始から５０秒経過した時点では、記録媒体の残量は５００ｋＢｙｔｅであるはずである。しかし、アラームが入力されていれば、記録媒体の残量は５００ｋＢｙｔｅ以下となるため、前記５００ｋＢｙｔｅを閾値として使用する。
【００７２】
さらに本実施例では、カメラ検出部２１により記録中に新規に監視カメラが新規に接続された場合でも、圧縮後のデータ量及びフレームレートの記録条件の設定の再計算を行うことが可能な構成となっている。このときの処理の流れを図１０を用いて説明する。図１０は、本発明における監視用映像記録装置の新規カメラ接続検出による記録条件の設定の再計算処理時のフローチャートである。
【００７３】
監視用映像記録装置２では、記録中にステップＳ６０１の新規カメラ検出タイマにより、定期的に以下の処理が開始され、ステップＳ６０２のカメラ接続検出処理に進む。ステップＳ６０２のカメラ接続検出処理では、新規に監視カメラが接続されたかをカメラ検出部２１により確認し、ステップＳ６０３で新規に監視カメラが接続されていない場合には本処理を終了し記録を再開（継続）する。ステップＳ６０３で新規に監視カメラが接続されたと判断した場合には次のステップＳ６０４の処理へ進む。新規に監視カメラが接続された場合、監視カメラの設置場所名称が未設定のため、ステップＳ６０４のカメラ設置場所名称設定処理では、カメラ名称設定部２７から設置場所の名称を入力設定する。次に、ステップＳ６０５の記録時間算出処理では、ユーザが要望する記録時間を達成するために必要な残り記録時間を算出する。ステップＳ６０６の重要度割当て処理では、カメラ名称設定部２７から入力されてカメラ名称テーブル２５に保持された監視カメラ毎の設置場所名称を、重要度割当てテーブル２６の名称と比較し、その名称に対応した重要度を重要度割当てテーブル２６から読み取り、新規に接続された監視カメラの重要度を割当てる。以降の処理は図９のステップＳ５０５〜５０８と同様の手順となるのでここでは説明を省略する。
【００７４】
本発明における監視用映像記録装置の自動記録設定時の画面表示例を図１１を用いて説明する。図１１は、本発明における監視用映像記録装置の自動記録設定時の画面構成例である。
【００７５】
ユーザがメニュー釦を押すと、図４のメニュー画面２００が表示され、このメニュー画面で「１．自動記録設定」を選択すると、記録時間設定画面７０１が表示される。この記録時間設定画面７０１で、ユーザが要望する記録時間を選択及び決定すると、重要度決定方法選択画面７０２が表示される。重要度決定方法選択画面７０２で、監視カメラ毎の重要度の決定方法を選択する。本実施例では「１．カメラ設置場所名称」、「２．アラーム回数」、「３．ユーザ設定」の３つの方法から選択可能としており、「３．ユーザ設定」を選択すると重要度設定画面７０３が表示される。この、重要度入力画面７０３を使用して、監視カメラ毎の重要度をユーザが設定できるようになっている。重要度決定方法選択画面７０２で、「１．カメラ設置場所名称」または「２．アラーム回数」を選択して決定した場合や、重要度入力画面７０３で各監視カメラ毎の重要度を選択して決定した場合には、記録設定確認画面７０４を表示し、ユーザに確認を求める構成となっている。ユーザがこの記録設定確認画面７０４で確認を選択し決定すると、重要度設定方法で選択した重要度割当て方法で監視カメラ毎の重要度を自動的に割当て、この重要度を元に圧縮後のデータ量とフレームレートを算出して記録部１６に記録を開始する。
【図面の簡単な説明】
【００７６】
【図１】本発明における監視用映像記録装置を用いた監視システムの実施例
【図２】本発明における監視用映像記録装置のブロック構成図
【図３】本発明における監視用映像記録装置の監視カメラの設置場所名称の設定時のフローチャート
【図４】本発明における監視用映像記録装置のカメラ設置場所名称設定画面の構成例
【図５】本発明における監視用映像記録装置の重要度割当てテーブルの例
【図６】本発明における監視用映像記録装置の自動で割当てた重要度を元に各監視カメラ毎の映像データを記録する場合のフローチャート
【図７】本発明における監視用映像記録装置の自動で割当てた重要度と記録媒体の残容量及び記録時間から、監視カメラ毎の圧縮後のデータ量とフレームレートを算出した場合の例
【図８】本発明における監視用映像記録装置のアラーム積算処理を説明するためのフローチャート
【図９】本発明における監視用映像記録装置の記録媒体の残量検出による再計算処理時のフローチャート
【図１０】本発明における監視用映像記録装置のカメラ接続検出による記録条件の設定の再計算処理時のフローチャート
【図１１】本発明における監視用映像記録装置の自動記録設定時の画面構成例
【符号の説明】
【００７７】
１（１ａ、１ｂ、１ｃ、１ｄ）…監視カメラ（１〜４）、２…監視用映像記録装置、
３…映像表示装置、１０…映像信号入力部、１１…Ａ／Ｄ変換部、１２…映像圧縮部、
１３…映像再生部、１４…アラーム入力部、１５…記録設定変換部、１６…残容量検出部、
１７…記録時間算出部、１８…重要度割当て部、１９…記録部、２０…新規接続カメラ、
２１…カメラ検出部、２２…ユーザ入力、２３…記録時間設定部、
２４…アラーム積算テーブル、２５…カメラ名称テーブル、２６は重要度割当てテーブル、
２７…カメラ名称設定部、２００…メニュー画面、名称欄…２０１ａ〜２０１ｄ、
２０３…定型文入力釦、２０４…定型文選択画面、７０１…記録時間設定画面、
７０２…重要度決定方法選択画面、７０３…重要度入力画面、７０４…記録設定確認画面
【図１】
2008167101.tif 000003
【図２】
2008167101.tif 000004
【図３】
2008167101.tif 000005
【図４】
2008167101.tif 000006
【図５】
2008167101.tif 000007
【図６】
2008167101.tif 000008
【図７】
2008167101.tif 000009
【図８】
2008167101.tif 000010
【図９】
2008167101.tif 000011
【図１０】
2008167101.tif 000012
【図１１】
2008167101.tif 000013